【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
キーワードと目的地を関連付けて記憶する記憶手段と、
スケジュール情報を取得する取得手段と、
前記スケジュール情報に含まれるキーワードが前記記憶手段に記憶されている場合に、当該キーワードと関連付けて記憶されている目的地を目的地候補として表示手段に表示させる制御手段と、
を備え、
前記制御手段は、前記目的地候補から目的地が設定された場合に、前記スケジュール情報に含まれるキーワードを、当該目的地に関連付けられたキーワードに追加して前記記憶手段に記憶させることを特徴とするナビゲーション装置。
【請求項２】
前記制御手段は、前記スケジュール情報に含まれるキーワードが前記記憶手段に記録されていない場合、または前記目的地候補のうちから目的地が設定されない場合には、目的地の入力を促す画像を前記表示手段に表示させることを特徴とする請求項１に記載のナビゲーション装置。
【請求項３】
前記制御手段は、前記目的地の入力を促す画像に基づいて目的地が入力された場合に、前記スケジュール情報に含まれるキーワードと、当該目的地とを関連付けて前記記憶手段に記憶させることを特徴とする請求項２に記載のナビゲーション装置。
【請求項４】
前記制御手段は、前記スケジュール情報に含まれる文字列のうちから名詞をキーワードとして抽出し、
前記記憶手段は、前記名詞をキーワードとして記憶することを特徴とする請求項１乃至３のいずれか一項に記載のナビゲーション装置。
【請求項５】
キーワードと、日時、および目的地を関連付けて記憶する記憶手段と、
スケジュール情報を取得する取得手段と、
前記スケジュール情報に含まれるキーワードまたは日時のいずれかに関する情報が前記記憶手段に記憶されている場合に、当該キーワードまたは当該日時と関連付けて記憶されている目的地を目的地候補として表示手段に表示させる制御手段と、を備え、
前記制御手段は、前記目的地候補から目的地が設定された場合に、前記スケジュール情報に含まれるキーワードおよび日時を、当該目的地に関連付けられた情報に追加して前記記憶手段に記憶させることを特徴とするナビゲーション装置。
【請求項６】
前記制御手段は、前記スケジュール情報に含まれるキーワードおよび当該スケジュールの開始日時若しくは終了日時と、前記記憶手段に記憶されたキーワードおよび開始日時若しくは終了日時との一致度が所定値以上である目的地を、前記目的地候補として表示手段に表示させることを特徴とする請求項５に記載のナビゲーション装置。
【請求項７】
前記制御手段は、前記スケジュール情報に含まれる日時と前記記憶手段に記憶された日時との、日付および曜日ならびに時刻のうちの少なくとも一つの関係に基づいて前記一致度を算出することを特徴とする請求項６に記載のナビゲーション装置。
【請求項８】
前記スケジュール情報に含まれるキーワードは複数存在し、
前記制御手段は、前記スケジュール情報に含まれるキーワードのうち、前記目的地に既に関連付けられたキーワード以外のキーワードを、前記目的地に既に関連付けられたキーワードに追加して前記記憶手段に記憶させることを特徴とする請求項１乃至７のいずれか一項に記載のナビゲーション装置。
【請求項９】
キーワードと目的地を関連付けて記憶する記憶手段を有するナビゲーション装置が実行する制御方法であって、
スケジュール情報を取得する取得工程と、
スケジュール情報に含まれるキーワードが前記記憶手段に記憶されている場合に、当該キーワードと関連付けて記憶されている目的地を目的地候補として表示手段に表示させる制御工程と、を有し、
前記制御工程は、前記目的地候補から目的地が設定された場合に、前記スケジュール情報に含まれるキーワードを、当該目的地に関連付けられたキーワードに追加して前記記憶手段に記憶させることを特徴とする制御方法。
【請求項１０】
キーワードと目的地を関連付けて記憶する記憶手段を制御するコンピュータが実行するプログラムであって、
スケジュール情報を取得する取得手段と、
スケジュール情報に含まれるキーワードが前記記憶手段に記憶されている場合に、当該キーワードと関連付けて記憶されている目的地を目的地候補として表示手段に表示させる制御手段として前記コンピュータを機能させ、
前記制御手段は、前記目的地候補から目的地が設定された場合に、前記スケジュール情報に含まれるキーワードを、当該目的地に関連付けられたキーワードに追加して前記記憶手段に記憶させることを特徴とするプログラム。
【請求項１１】
請求項１０に記載のプログラムを記憶したことを特徴とする記憶媒体。
【手続補正２】
【補正対象書類名】明細書
【補正対象項目名】０００６
【補正方法】変更
【補正の内容】
【０００６】
請求項に記載の発明は、ナビゲーション装置であって、キーワードと目的地を関連付けて記憶する記憶手段と、スケジュール情報を取得する取得手段と、前記スケジュール情報に含まれるキーワードが前記記憶手段に記憶されている場合に、当該キーワードと関連付けて記憶されている目的地を目的地候補として表示手段に表示させる制御手段と、を備え、前記制御手段は、前記目的地候補から目的地が設定された場合に、前記スケジュール情報に含まれるキーワードを、当該目的地に関連付けられたキーワードに追加して前記記憶手段に記憶させることを特徴とする。
【手続補正３】
【補正対象書類名】明細書
【補正対象項目名】０００７
【補正方法】変更
【補正の内容】
【０００７】
また、請求項に記載の発明は、ナビゲーション装置であって、キーワードと、日時、および目的地を関連付けて記憶する記憶手段と、スケジュール情報を取得する取得手段と、前記スケジュール情報に含まれるキーワードまたは日時のいずれかに関する情報が前記記憶手段に記憶されている場合に、当該キーワードまたは当該日時と関連付けて記憶されている目的地を目的地候補として表示手段に表示させる制御手段と、を備え、前記制御手段は、前記目的地候補から目的地が設定された場合に、前記スケジュール情報に含まれるキーワードおよび日時を、当該目的地に関連付けられた情報に追加して前記記憶手段に記憶させることを特徴とする。
【手続補正４】
【補正対象書類名】明細書
【補正対象項目名】０００８
【補正方法】変更
【補正の内容】
【０００８】
また、請求項に記載の発明は、キーワードと目的地を関連付けて記憶する記憶手段を有するナビゲーション装置が実行する制御方法であって、スケジュール情報を取得する取得工程と、スケジュール情報に含まれるキーワードが前記記憶手段に記憶されている場合に、当該キーワードと関連付けて記憶されている目的地を目的地候補として表示手段に表示させる制御工程と、を有し、前記制御工程は、前記目的地候補から目的地が設定された場合に、前記スケジュール情報に含まれるキーワードを、当該目的地に関連付けられたキーワードに追加して前記記憶手段に記憶させることを特徴とする。
【手続補正５】
【補正対象書類名】明細書
【補正対象項目名】０００９
【補正方法】変更
【補正の内容】
【０００９】
また、請求項に記載の発明は、キーワードと目的地を関連付けて記憶する記憶手段を制御するコンピュータが実行するプログラムであって、スケジュール情報を取得する取得手段と、スケジュール情報に含まれるキーワードが前記記憶手段に記憶されている場合に、当該キーワードと関連付けて記憶されている目的地を目的地候補として表示手段に表示させる制御手段として前記コンピュータを機能させ、前記制御手段は、前記目的地候補から目的地が設定された場合に、前記スケジュール情報に含まれるキーワードを、当該目的地に関連付けられたキーワードに追加して前記記憶手段に記憶させることを特徴とする。